(57)【特許請求の範囲】
【請求項１】
第２のコンポーネントと一体化された第１のコンポーネントの動きを制御するための装置であって、
第１のクランプと、
第２のクランプと、
前記第１および第２のクランプを接続するように構成された複数のコネクタと、
を備え、
前記コネクターは、前記第２のクランプに固定され、
前記コネクターは、前記第１のクランプが、前記第１および第２のクランプの間で、前記第２のクランプに対して、第１の方向に動くことを許容し、
前記コネクターは、前記第１のクランプが、前記第２のクランプに対して、前記第１の方向に直交する第２の方向に動くことを制限し、
前記第１および第２のクランプのそれぞれは、十字形、三角形、長方形、または、涙滴形のチャネルを有し、
前記複数のコネクタは、前記第１および第２のクランプのそれぞれの前記チャネルの形状に対応した形状の断面を有する、
装置。
【請求項２】
前記コネクターは、前記第１のクランプが、前記第２のクランプに対して、前記第１の方向に、線状に動くことを許容する、請求項１に記載の装置。
【請求項３】
前記コネクターは、前記第１のクランプが、前記第２のクランプに対して、前記第２の方向に、線状に動くことを制限する、請求項１または２に記載の装置。
【請求項４】
前記コネクタは、前記第１のクランプが、前記第２のクランプに対して、前記第１の方向に定められた軸線の周りに回転運動することを制限する、請求項１から３のいずれかに記載の装置。
【請求項５】
前記コネクターは、前記第１のクランプが、前記第２のクランプに対して、前記第２の方向に、線状に動くことを防止する、請求項３に記載の装置。
【請求項６】
前記コネクターは、前記第１のクランプが、前記第２のクランプに対して、前記第１の方向に定められた軸線の周りに回転運動することを防止する、請求項４に記載の装置。
【請求項７】
前記第１のクランプは、２つ以上の第１のクランプセクションを含む、請求項１から６のいずれかに記載の装置。
【請求項８】
前記２つ以上の第１のクランプセクション同士が、複数の第１のクランプボルトを使用して一緒に接続される、請求項７に記載の装置。
【請求項９】
前記第２のクランプが、２つ以上の第２のクランプセクションを含む、請求項７または８に記載の装置。
【請求項１０】
前記２つ以上の第１のクランプセクション同士が、複数の第１のクランプボルトを使用して一緒に接続され、
前記２つ以上の第２のクランプセクション同士が、複数の第２のクランプボルトを使用して一緒に接続される、
請求項９に記載の装置。
【発明の詳細な説明】
【技術分野】
【０００１】
例示の実施形態は、一般に、コンポーネントの動きを制御するための装置および方法に関する。制御することは、例えば、動きを許容すること、制限すること、および／または防止することを含み得る。コンポーネントは、一体化されたコンポーネントとすることができる。また、例示の実施形態は、原子炉プラントに関し、原子力発電プラントの中のコンポーネントの動きを制御するための装置および方法に関する。
【背景技術】
【０００２】
沸騰水型原子炉（「ＢＷＲ」）の原子炉圧力容器（「ＲＰＶ」）は、一般に、円筒形状を有することが可能であり、（例えば、底部ヘッドおよび取り外し可能な上部ヘッドによって）両端部を閉じられていることが可能である。上部ガイドは、ＲＰＶの中でコアプレートの上方に離間され得る。コアシュラウドまたはシュラウドが、コアを取り囲むことが可能であり、シュラウド支持構造体によって支持され得る。シュラウドは、一般に、円筒形状を有することが可能であり、コアプレートおよび上部ガイドの両方を取り囲むことが可能である。円筒状のＲＰＶと円筒形状のシュラウドとの間に配置された空間または環状部が存在することもある。
【０００３】
ＢＷＲでは、環状部の中に位置付けられた中空の管状ジェットポンプが、所要の原子炉炉心水流を供給する。インレットミキサーとして知られる、ジェットポンプの上側部分が、横方向に位置付けられ、関連技術のジェットポンプ拘束ブラケットによって支持され得る。拘束ブラケットが、隣接するジェットポンプライザーパイプに取り付けられることによって、インレットミキサーを支持することが可能である。ディフューザーとして知られる、ジェットポンプの下側部分が、スリップジョイントによって、インレットミキサーに連結され得る。インレットミキサーとディフューザーのカラー部との間のスリップジョイントは、動作間隙を有することが可能であり、動作間隙が、ジェットポンプの上側部分と下側部分との間の軸方向の相対的な熱膨張の動きに対応する。また、動作間隙は、ジェットポンプの内側の駆動圧力からの漏洩流れを許容することが可能である。
【０００４】
過度の漏洩流れは、流動励起振動（ｆｌｏｗ  ｉｎｄｕｃｅｄ  ｖｉｂｒａｔｉｏｎ）（「ＦＩＶ」）、または、スリップジョイント漏洩流動励起振動（ｓｌｉｐ  ｊｏｉｎｔ  ｌｅａｋａｇｅ  ｆｌｏｗ  ｉｎｄｕｃｅｄ  ｖｉｂｒａｔｉｏｎ）（「ＳＪＬＦＩＶ」）として知られる振動を、スリップジョイントの中に引き起こす可能性があり、それは、ジェットポンプアセンブリ中の有害な振動励起の原因である可能性がある。関連技術のジェットポンプ拘束ブラケットは、システムコンポーネントの振動を軽減するシステム剛性を提供することが可能であるが、ＳＪＬＦＩＶが、依然として、インレットミキサーとディフューザーとの間に生じる可能性がある。スリップジョイント漏洩量は、例えば、単ループ運転、炉心流れの増加、および／または、ジェットポンプのクラッド付着に起因して、増加される可能性がある。
【０００５】
シュラウドおよびＲＰＶの熱変位および圧力変位は、スリップジョイントの中の横方向力など、振動を抑制するのに有益な、ジェットポンプアセンブリの中の整列相互作用負荷を減少させる可能性がある。結果として生じる振動レベル、および、配管および支持体にかかる、対応する振動負荷の増加は、摩耗および疲労によって、ジェットポンプコンポーネントの劣化を引き起こす可能性がある。
【０００６】
高いレベルのＦＩＶは、漏洩流量を増加させるいくつかの異常運転条件において、特定のジェットポンプ設計において起こり得る。したがって、スリップジョイントの領域の中に横方向負荷を有し、インレットミキサーとディフューザーとの間の接合部分の剛性を維持し、振動を防止し、かつ、ＦＩＶを抑制するジェットポンプアセンブリを提供することが望ましい可能性がある。
【０００７】
関連技術の装置および方法が、例えば、Ｃｈｉらに対する米国特許第４，２８５，７７０号（「’７７０特許」）、Ｅｒｂｅｓらに対する米国特許第６，３９４，７６５Ｂ１号（「’７６５特許」）、Ｅｒｂｅｓらに対する米国特許第６，４３８，１９２Ｂ１号（「’１９２特許」）、Ｅｒｂｅｓらに対する米国特許第６，４５０，７７４Ｂ１（「’７７４特許」）、およびＥｒｂｅｓらに対する米国特許第６，５８７，５３５Ｂ１（「’５３５特許」）において、議論されている。’１９２特許、’５３５特許、’７６５特許、’７７０特許、および’７７４特許の開示は、その全体が本出願の中に参照により組み込まれている。
【０００８】
また、関連技術の装置および方法が、例えば、Ｔｏｒｒｅｓに対する米国特許出願公開第２００８／００３１７４１Ａ１号（「’７４１公開」）、Ｓｐｒａｇｕｅらに対する米国特許出願公開第２０１０／０２４２２７９Ａ１号（「’２７９公開」）、Ｅｌｌｉｓｏｎらに対する米国特許出願公開第２０１０／０３２９４１２Ａ１号（「’４１２公開」）、Ｂａｓｓらに対する米国特許出願公開第２０１１／００５２４２４Ａ１号（「’４２４公開」）、Ｗｒｏｂｌｅｗｓｋｉらに対する米国特許出願公開第２０１１／０１３５０４９Ａ１号（「’０４９公開」）、および、ＤｅＦｉｌｉｐｐｉｓらに対する米国特許出願公開第２０１１／０１７６９３８Ａ１号（「’９３８公開」）においても、議論されている。また、’０４９公開、’２７９公開、’４１２公開、’４２４公開、’７４１公開、および、’９３８公開の開示も、その全体が、本出願の中に、参照により組み込まれている。
【０００９】
また、追加的に、関連技術の装置および方法が、例えば、Ｓｐｒａｇｕｅらに対する、「Ｍｅｔｈｏｄ  ａｎｄ  Ａｐｐａｒａｔｕｓ  ｆｏｒ  ａ  Ｊｅｔ  Ｐｕｍｐ  Ｔｈｒｅｅ  Ｐｏｉｎｔ  Ｓｌｉｐ  Ｊｏｉｎｔ  Ｃｌａｍｐ」という名称の米国特許出願第１２／９８２，２８０号（「’２８０出願」）においても、議論されている。同様に、’２８０出願の開示は、その全体が、本出願の中に、参照により組み込まれている。
【００１０】
そのうえ、関連技術の装置および方法が、例えば、世界知的財産権機関（「ＷＩＰＯ」）のＷＯ２０１１／０３５０４３Ａ１の中で議論されている。
【先行技術文献】
【特許文献】
【００１１】
【特許文献１】米国特許出願公開第２０１１／０１７６９３８号明細書
【発明の概要】
【００１２】
例示の実施形態は、第２のコンポーネントと一体化された第１のコンポーネントの動きを制御するための装置および方法を提供することが可能である。また、例示の実施形態は、原子力発電プラントの中のコンポーネントの動きを制御するための装置および方法を提供することも可能である。
【００１３】
例示の実施形態では、第２のコンポーネントと一体化された第１のコンポーネントの動きを制御するための装置は、第１のコンポーネントに係合するように構成された第１のクランプ、第２のコンポーネントに係合するように構成された第２のクランプ、および／または、第１および第２のクランプを接続するように構成された複数のコネクターを含むことが可能である。コネクターは、第１のクランプが、第１および第２のクランプの間で、第２のクランプに対して、第１の方向に動くことを許容することが可能である。コネクターは、第１のクランプが、第２のクランプに対して、第１の方向に直交する第２の方向に動くことを制限することが可能である。
【００１４】
例示の実施形態では、コネクターは、第１のクランプが、第２のクランプに対して、第１の方向に、線状に動くことを許容することが可能である。
【００１５】
例示の実施形態では、コネクターは、第１のクランプが、第２のクランプに対して、第２の方向に、線状に動くことを制限することが可能である。
【００１６】
例示の実施形態では、コネクターは、第１のクランプが、第２のクランプに対して、第１の方向に定められた軸線の周りに回転運動することを制限することが可能である。
【００１７】
例示の実施形態では、コネクターは、第１のクランプが、第２のクランプに対して、第２の方向に、線状に動くことを防止することが可能である。
【００１８】
例示の実施形態では、コネクターは、第１のクランプが、第２のクランプに対して、第１の方向に定められた軸線の周りに回転運動することを防止することが可能である。
【００１９】
例示の実施形態では、第１のクランプは、２つ以上の第１のクランプセクションを含むことが可能である。
【００２０】
例示の実施形態では、２つ以上の第１のクランプセクション同士が、複数の第１のクランプボルトを使用して一緒に接続可能である。
【００２１】
例示の実施形態では、第１のクランプが、２つ以上の第１のクランプセクションを含むことが可能であり、かつ／または、第２のクランプが、２つ以上の第２のクランプセクションを含むことが可能である。
【００２２】
例示の実施形態では、２つ以上の第１のクランプセクション同士が、複数の第１のクランプボルトを使用して一緒に接続可能であり、かつ／または、２つ以上の第２のクランプセクション同士が、複数の第２のクランプボルトを使用して一緒に接続され得る。
【００２３】
例示の実施形態では、原子力発電プラントの中のコンポーネントの動きを制御するための装置であって、原子力発電プラントが、原子炉圧力容器、および、原子炉圧力容器の中のジェットポンプアセンブリを含む、装置は、ジェットポンプアセンブリに係合するように構成された第１のクランプ、ジェットポンプアセンブリに係合するように構成された第２のクランプ、および／または、第１および第２のクランプを接続するように構成された複数のコネクターを含むことが可能である。コネクターは、第１のクランプが、第２のクランプに対して、ジェットポンプアセンブリの軸方向に動くことを許容することが可能である。コネクターは、第１のクランプが、第２のクランプに対して、ジェットポンプアセンブリの軸方向に直交する方向に動くことを制限することが可能である。
【００２４】
例示の実施形態では、第１のクランプは、ジェットポンプアセンブリのインレットミキサーに係合するように構成され得る。
【００２５】
例示の実施形態では、第２のクランプは、ジェットポンプアセンブリのディフューザーに係合するように構成され得る。
【００２６】
例示の実施形態では、コネクターは、第１のクランプが、第２のクランプに対して、ジェットポンプアセンブリの軸方向に、線状に動くことを許容することが可能である。
【００２７】
例示の実施形態では、コネクターは、第１のクランプが、第２のクランプに対して、ジェットポンプアセンブリの軸方向に直交する方向に、線状に動くことを制限することが可能である。
【００２８】
例示の実施形態では、コネクターは、第１のクランプが、第２のクランプに対して、ジェットポンプアセンブリの軸方向の周りに回転運動することを制限することが可能である。
【００２９】
例示の実施形態では、原子力発電プラントの中のコンポーネントの動きを制御するための装置であって、原子力発電プラントが、原子炉圧力容器、および、原子炉圧力容器の中のジェットポンプアセンブリを含む、装置が、ジェットポンプアセンブリのインレットミキサーに係合するように構成された第１のクランプ、ジェットポンプアセンブリのディフューザーに係合するように構成された第２のクランプ、および／または、第１および第２のクランプを接続するように構成された複数のコネクターを含むことが可能である。第１のクランプ、第２のクランプ、およびコネクターは、インレットミキサーが、ディフューザーに対して、ジェットポンプアセンブリの軸方向に動くことを許容することが可能である。第１のクランプ、第２のクランプ、およびコネクターは、インレットミキサーが、ディフューザーに対して、ジェットポンプアセンブリの軸方向に直交する方向に動くことを制限することが可能である。
【００３０】
例示の実施形態では、第１のクランプ、第２のクランプ、およびコネクターは、インレットミキサーが、ディフューザーに対して、ジェットポンプアセンブリの軸方向に、線状に動くことを許容することが可能である。
【００３１】
例示の実施形態では、第１のクランプ、第２のクランプ、およびコネクターは、インレットミキサーが、ディフューザーに対して、ジェットポンプアセンブリの軸方向に直交する方向に、線状に動くことを制限することが可能である。
【００３２】
例示の実施形態では、第１のクランプ、第２のクランプ、およびコネクターは、インレットミキサーが、ディフューザーに対して、ジェットポンプアセンブリの軸方向の周りに回転運動することを制限することが可能である。
【００３３】
例示の実施形態では、第２のコンポーネントと一体化された第１のコンポーネントの動きを制御するための方法は、第１のコンポーネントを第１のクランプに係合させるステップと、第２のコンポーネントを第２のクランプに係合させるステップと、第１および第２のクランプを複数のコネクターを使用して接続するステップとを含むことが可能である。コネクターは、第１のクランプが、第１および第２のクランプの間で、第２のクランプに対して、第１の方向に動くことを許容することが可能である。コネクターは、第１のクランプが、第２のクランプに対して、第１の方向に直交する第２の方向に動くことを制限することが可能である。
【００３４】
本発明のこれらの特徴および利点、ならびに、他の特徴および利点は、本発明による装置および方法の様々な例示の実施形態の、以下の詳細な説明に説明されているか、または、それから明らかである。
【００３５】
上記の態様および利点、ならびに／または、他の態様および利点は、添付の図面に関連付けられた、例示の実施形態の以下の詳細な説明から、より明らかとなり、より容易に認識されることとなるであろう。
【図面の簡単な説明】
【００３６】
【図１】関連技術のＢＷＲジェットポンプアセンブリの斜視図である。
【図２】ＢＷＲジェットポンプアセンブリのインレットミキサーとディフューザーとの間の関連技術のスリップジョイントの詳細図である。
【図３】ＢＷＲジェットポンプアセンブリのインレットミキサーとディフューザーとの間の関連技術のスリップジョイントの断面図である。
【図４】例示の実施形態による第１のクランプの第１のクランプセクションの詳細図である。
【図５】例示の実施形態による第２のクランプの第２のクランプセクションの詳細図である。
【図６Ａ】例示の実施形態によるコネクターの斜視図である。
【図６Ｂ】図６Ａのコネクターの断面図である。
【図７】例示の実施形態によるジェットポンプアセンブリの断面図である。
【図８】例示の実施形態による、第２のコンポーネントと一体化された第１のコンポーネントの動きを制御するための方法のフローチャートである。
【発明を実施するための形態】
【００３７】
ここで、例示の実施形態が、添付の図面を参照してより完全に説明されることとなる。しかし、実施形態は、多くの異なる形態で具現化することができ、本明細書で述べられている実施形態に制限されるものとして解釈されるべきではない。むしろ、これらの例示の実施形態は、この開示が、徹底的および完全であり、当業者にその範囲を完全に伝達するように提供されている。図面において、層および領域の厚さは、明確にするために誇張されている。
【００３８】
要素が、別のコンポーネントに対して、「の上に」、「に接続されて」、「電気的に接続されて」、または、「連結されて」と称される場合、それは、他のコンポーネントに対して、直接的に上に、接続されて、電気的に接続されて、もしくは、連結されていることが可能であり、または、介在するコンポーネントが存在するということが可能であるということが理解されるであろう。対照的に、コンポーネントが、他のコンポーネントに対して、「直接上に」、「直接接続されて」、「直接電気的に接続されて」、または「直接連結されて」と称される場合、介在するコンポーネントは存在しない。本明細書で使用される場合、「および／または」の用語は、列挙された関係の項目のうちの１つまたは複数の任意のおよび全ての組合せを含む。
【００３９】
第１の、第２の、第３のなどの用語は、様々な要素、コンポーネント、領域、層、および／またはセクションを説明するために本明細書で使用され得るが、これらの要素、コンポーネント、領域、層、および／またはセクションは、これらの用語によって制限されるべきではないということが理解されるであろう。これらの用語は、単に、一方の要素、コンポーネント、領域、層、および／またはセクションを、別の要素、コンポーネント、領域、層、および／またはセクションから区別するために使用されている。例えば、第１の要素、コンポーネント、領域、層、および／またはセクションは、例示の実施形態の教示から逸脱することなく、第２の要素、コンポーネント、領域、層、および／またはセクションと呼ばれることがある。
【００４０】
図面に示されているように、１つのコンポーネントおよび／もしくは特徴と、別のコンポーネントおよび／もしくは特徴との関係、あるいは、他の（１つまたは複数の）コンポーネントおよび／もしくは（１つまたは複数の）特徴との関係を説明して、説明を容易にするために、「の下方に」、「の下に」、「の下側の」、「の上方に」、「上側の」などのような、空間的に相対的な用語が、本明細書で使用され得る。空間的に相対的な用語は、図面に示されている配向に加えて、使用中または運転中のデバイスの異なる配向を包含することが意図されているということが理解されるであろう。
【００４１】
本明細書で使用されている用語は、特定の例示の実施形態を説明するだけの目的のためであり、例示の実施形態の制限であることは意図されていない。本明細書で使用される場合、単数形の「ａ」、「ａｎ」、および「ｔｈｅ」は、文脈が明確に別段示していなければ、複数形も含むことが意図されている。さらに、「備える（ｃｏｍｐｒｉｓｅｓ）」、「備えている（ｃｏｍｐｒｉｓｉｎｇ）」、「含む（ｉｎｃｌｕｄｅｓ）」、および／または「含んでいる（ｉｎｃｌｕｄｉｎｇ）」の用語は、本明細書で使用されている場合、記述された特徴、整数、ステップ、動作、要素、および／またはコンポーネントの存在を規定するが、１つまたは複数の他の特徴、整数、ステップ、動作、要素、コンポーネント、および／もしくはそれらのグループの存在または付加を排除しないということが理解されるであろう。
【００４２】
別段の定めがなければ、本明細書で使用されている全ての用語（技術用語および科学用語を含む）は、例示の実施形態が属する分野の当業者によって概括的に理解されるのと同じ意味を有している。さらに、概括的に使用されている辞書に定義されているような用語は、関連技術の文脈におけるそれらの意味と一致する意味を有するものとして解釈されるべきであり、本明細書で明白にそのように定義されていなければ、理想化された意味で、または、過度に形式的な意味で解釈されるべきでないということが理解されるであろう。
【００４３】
また、いくつかの代替的な実装形態において、記述されている機能および／または行為は、図の中に記述されている順序から外れて起こることが可能であるということが留意されるべきである。例えば、連続に示されている２つの図は、実際、実質的に同時に実行されても、または、関係する機能性および／または行為に応じて、逆の順序で実行されてもよい。
【００４４】
ここで、例示の実施形態が参照されることとなり、例示の実施形態は、添付の図面に示されており、同様の参照番号は、全体を通して、同様のコンポーネントを参照することが可能である。
【００４５】
図１は、関連技術のＢＷＲジェットポンプアセンブリ１００の斜視図である。ジェットポンプアセンブリ１００の主要コンポーネントは、ライザーパイプ１０２、インレットミキサー１０４、およびディフューザー１０６を含む。インレットミキサー１０４は、それぞれのディフューザー１０６の中に挿入されている。インレットミキサー１０４と関係のディフューザー１０６との間の接合部分は、スリップジョイント１０８である。ジェットポンプ拘束ブラケット１１０が、インレットミキサー１０４の動きを安定化させるために使用され得る。この安定化は、スリップジョイント１０８のＳＪＬＦＩＶおよび、スリップジョイント１０８における漏洩を低減させることが可能である。理解され得るように、一般に、インレットミキサー１０４の本体部は、関係のディフューザー１０６の本体部よりも小さい直径を有している。
【００４６】
図２は、関連技術のスリップジョイント２０８の詳細図である。インレットミキサー２０４と関係のディフューザー２０６との間の接合部分は、スリップジョイント２０８である。インレットミキサー２０４の底部部分２０４ａは、ディフューザー２０６の上側クラウン部２０６ａの中に挿入されているということが留意されるべきである。インレットミキサー２０４が、ディフューザー２０６の上に低下させられるとき、ディフューザー２０６のガイド耳部２０６ｂが、典型的に、底部部分２０４ａを上側クラウン部２０６ａの中に案内することによって、適切な挿入を助ける。
【００４７】
図３は、関連技術のスリップジョイント３０８の断面図である。インレットミキサー３０４と関係のディフューザー３０６との間の接合部分は、スリップジョイント３０８である。前述のように、インレットミキサー３０４の底部部分３０４ａが、ディフューザー３０６の上側クラウン部３０６ａの中に挿入されている。インレットミキサー３０４の遠位端部３０４ｂが、ディフューザー３０６の上側クラウン部３０６ａの中に置かれ、スリップジョイント３０８を形成している。インレットミキサー３０４の遠位端部３０４ｂとディフューザー３０６の上側クラウン部３０６ａとの間の公差が、一貫性がなく、かつ／または、過大であると、ＳＪＬＦＩＶが、スリップジョイント３０８の中で生じる可能性がある。追加的に、インレットミキサー３０４の遠位端部３０４ｂとディフューザー３０６の上側クラウン部３０６ａとの間で、および、スリップジョイント３０８から水が漏れ得るとき、接合部分において漏洩が生じる可能性がある。
【００４８】
図４は、例示の実施形態による、（図７で示されている）第１のクランプ４００の第１のクランプセクション４０２の詳細図である。第１のクランプセクション４０２は、本体部４０４、オフセット部４０６、チャネル４０８、端部部分４１０、および／または貫通孔４１２を含むことが可能である。本体部４０４は、内側縁部４１４、外側縁部４１６、上部表面４１８、および／または底部表面４２０を含むことが可能である。
【００４９】
第１のクランプ４００は、関係のディフューザーの上に設置するように設計され得る。結果として、第１のクランプセクション４０２は、関係のインレットミキサーの上に設置するように設計されたクランプセクションよりも物理的に大きく、かつ／または、このクランプセクションよりも大きい曲率半径を有することが可能である。
【００５０】
第１のクランプ４００は、関係のディフューザーを実質的に取り囲むように一緒に接合された、２つの第１のクランプセクション４０２を含むことが可能である。代替的には、第１のクランプ４００は、単一ピースのクランプを含むことが可能である。しかし、単一ピースのクランプを使用するには、関係のインレットミキサーおよび／もしくはディフューザーの設置の前に、またはその設置と一緒に設置することが必要であるか、あるいは、既に設置されたインレットミキサーおよび／またはディフューザーを少なくとも部分的に分解することが必要である可能性がある。代替的には、第１のクランプ４００は、２つ以上のクランプセクションを含むことが可能である。単一ピースのクランプ、または、２つよりも多いクランプセクションを含むように、第１のクランプ４００を修正することが、当業者（「ＰＨＯＳＩＴＡ」）によって理解されるであろう。
【００５１】
必須ではないが、第１のクランプ４００の第１のクランプセクション４０２同士は、実質的に同一であってもよい。そのような構成は、第１のクランプ４００の製造、供給、設置、および交換を容易にすることとなる。
【００５２】
本体部４０４の断面は、正方形、長方形、または、何らかの他の形状であることが可能である。所望の断面形状に本体部４０４を修正することが、当業者によって理解されるであろう。
【００５３】
ディフューザーは、２つ以上のガイド耳部（例えば、４つのガイド耳部）を含むことが可能である。ガイド耳部は、ディフューザーの周囲部の周りに均一に離間され得る。ガイド耳部は、インレットミキサーを関係のディフューザーと統合することを助けることが可能である。例えば、インレットミキサーとディフューザーとの間の接合部分がスリップジョイントを形成する場所において、インレットミキサーをディフューザーの中に遠隔から挿入しようと試みるとき、この助けが、とりわけ有益である可能性がある。
【００５４】
図４に示されているように、第１のクランプセクション４０２は、オフセット部４０６を含むことが可能である。第１のクランプセクション４０２の中のオフセット部４０６は、関係のディフューザーのガイド耳部のための間隙を提供することが可能である。ガイド耳部が、ディフューザーの周囲部の周りに均一に離間されているならば、オフセット部４０６は、第１のクランプ４００の周りに均一に離間され得る。オフセット部４０６が第１のクランプ４００の周りに均一に離間され得るように、第１のクランプセクション４０２を修正することが、当業者によって理解されるであろう。
【００５５】
関係のディフューザーのガイド耳部をオフセット部４０６の中に位置付けることは、第１のクランプセクション４０２の垂直方向の（関係のインレットミキサーに向かう）動きを防止することを助けることが可能であり、かつ／または、関係のディフューザーの軸方向の周りの第１のクランプセクション４０２の回転を防止することを助けることが可能である。
【００５６】
図４に示されているように、第１のクランプセクション４０２は、チャネル４０８を含むことが可能である。チャネル４０８は、本体部４０４を完全に貫通して（例えば、上部表面４１８から底部表面４２０へ）延在することが可能である。代替的には、チャネル４０８は、本体部４０４を部分的にだけ通って延在することが可能である。チャネル４０８が、本体部４０４を完全に貫通して延在するように、または、本体部４０４を部分的にだけ通って延在するように、本体部４０４を修正することが、当業者によって理解されるであろう。
【００５７】
図４に示されているように、第１のクランプセクション４０２は、２つのチャネル４０８を含むことが可能である。代替的には、第１のクランプセクション４０２は、１つのチャネル４０８だけ、または、２つより多いチャネル４０８を含むことが可能である。１つのチャネル４０８だけ、または、２つより多いチャネル４０８を含むように、第１のクランプセクション４０２を修正することが、当業者によって理解されるであろう。
【００５８】
図４に示されているように、チャネル４０８は、第１のクランプセクション４０２の本体部４０４の中（すなわち、内側縁部４１４と外側縁部４１６との間）に配設され得る。代替的には、例えば、チャネル４０８は、本体部４０４の内側縁部４１４の上に（例えば、内側縁部４１４が、チャネル４０８の一部分を含むように）配設され得、かつ／または、本体部４０４の外側縁部４１６の上に（例えば、外側縁部４１６が、チャネル４０８の一部分を含むように）配設され得る。チャネル４０８が、内側縁部４１４および／または外側縁部４１６の上に配設されるように、第１のクランプセクション４０２を修正することが、当業者によって理解されるであろう。
【００５９】
図４に示されているように、チャネル４０８は、十字型形状を有することが可能である。チャネル４０８は、同様に、例えば、三角形、長方形、円形、涙滴形、またはダブテールなどのような、１つまたは複数の他の形状を含むことも可能である。１つまたは複数の他の形状を含むようにチャネル４０８を修正することが、当業者によって理解されるであろう。
【００６０】
上述のように、第１のクランプ４００は、関係のディフューザーを実質的に取り囲むように一緒に接合された、２つの第１のクランプセクション４０２を含むことが可能である。第１のクランプセクション４０２が、関係のディフューザーの周りに配設され得、これによって１つの第１のクランプセクション４０２の端部部分４１０が、別の第１のクランプセクション４０２の端部部分４１０に接近または接触していることが可能であるようになっている。第１のクランプセクション４０２同士が、端部部分４１０において、（図７に示されている）複数の第１のクランプボルト４２２および貫通孔４１２を使用して、一緒に接続され得る。また、当業者によって理解されるであろうように、第１のクランプセクション４０２同士が、端部部分４１０において、ロックナット、ラチェットなどを使用して、一緒に接続されることも可能である。
【００６１】
第１のクランプボルトを締め付けることによって、第１のクランプ４００と関係のディフューザーとの間に十分なグリップを提供することが可能であり、これによって第１のクランプ４００の垂直方向（例えば、関係のインレットミキサーに向かう方向、または、それから離れる方向のいずれか）への動き、および／または、関係のディフューザーの軸方向の周りの動きを防止するようになっている。また、関係のディフューザーのガイド耳部をオフセット部４０６の中に位置付けることは、第１のクランプ４００の垂直方向の（関係のインレットミキサーに向かう）動きを防止することを助けることも可能であり、かつ／または、関係のディフューザーの軸方向の周りの第１のクランプ４００の回転を防止することを助けることが可能である。
【００６２】
第１のクランプセクション４０２同士は、他のタイプの接続部および／またはコネクターを使用して、一緒に接続され得る。第１のクランプセクション４０２同士は、例えば、１つの側で、一緒に、ヒンジで連結され得る。端部部分４１０は、例えば、雄型および／または雌型ダブテール接合部を含むことが可能である。他のタイプの接続部および／またはコネクターを使用して、それらが一緒に接続されるように、第１のクランプセクション４０２を修正することが、当業者によって理解されるであろう。
【００６３】
コネクターを備えた第１のクランプ４００と第２のクランプとの相互作用について、以下に詳細に述べることとする。
【００６４】
図５は、例示の実施形態による、（図７で示されている）第２のクランプ５００の第２のクランプセクション５０２の詳細図である。第２のクランプセクション５０２は、本体部５０４、チャネル５０８、端部部分５１０、および／または貫通孔５１２を含むことが可能である。本体部５０４は、内側縁部５１４、外側縁部５１６、上部表面５１８、および／または底部表面５２０を含むことが可能である。
【００６５】
第２のクランプ５００は、関係のインレットミキサーの上に設置するように設計され得る。結果として、第２のクランプセクション５０２は、関係のディフューザーの上に設置するように設計されたクランプセクションよりも物理的に小さく、かつ／または、このクランプセクションよりも小さい曲率半径を有することが可能である。
【００６６】
第２のクランプ５００は、関係のインレットミキサーを実質的に取り囲むように一緒に接合された、２つの第２のクランプセクション５０２を含むことが可能である。代替的には、第２のクランプ５００は、単一ピースのクランプを含むことが可能である。しかし、単一ピースのクランプを使用するには、関係のインレットミキサーおよび／もしくはディフューザーの設置の前に、またはその設置と一緒に設置することが必要であるか、あるいは、既に設置されたインレットミキサーおよび／またはディフューザーを少なくとも部分的に分解することが必要である可能性がある。代替的には、第２のクランプ５００は、２つよりも多いクランプセクションを含むことが可能である。単一ピースのクランプ、または、２つよりも多いクランプセクションを含むように、第２のクランプ５００を修正することが、当業者によって理解されるであろう。
【００６７】
必須ではないが、第２のクランプ５００の第２のクランプセクション５０２同士は、実質的に同一であってもよい。そのような構成は、第２のクランプ５００の製造、供給、設置、および交換を容易にすることとなる。
【００６８】
本体部５０４の断面は、正方形、長方形、または、何らかの他の形状であることが可能である。所望の断面形状に本体部５０４を修正することが、当業者によって理解されるであろう。
【００６９】
図５に示されているように、第２のクランプセクション５０２は、チャネル５０８を含むことが可能である。チャネル５０８は、本体部５０４を完全に貫通して（すなわち、上部表面５１８から底部表面５２０へ）延在することが可能である。代替的には、チャネル５０８は、本体部５０４を部分的にだけ通って延在することが可能である。チャネル５０８が、本体部５０４を完全に貫通して延在するように、または、本体部５０４を部分的にだけ通って延在するように、本体部５０４を修正することが、当業者によって理解されるであろう。
【００７０】
図５に示されているように、第２のクランプセクション５０２は、２つのチャネル５０８を含むことが可能である。代替的には、第２のクランプセクション５０２は、１つのチャネル５０８だけ、または、２つより多いチャネル５０８を含むことが可能である。１つのチャネル５０８だけ、または、２つより多いチャネル５０８を含むように、第２のクランプセクション５０２を修正することが、当業者によって理解されるであろう。
【００７１】
図５に示されているように、チャネル５０８は、本体部５０４の外側縁部５１６の上に（例えば、外側縁部５１６が、チャネル５０８の一部分を含むように）配設され得る。代替的には、例えば、チャネル５０８は、第２のクランプセクション５０２の本体部５０４の中（すなわち、内側縁部５１４と外側縁部５１６との間）に配設され得、かつ／または、本体部５０４の内側縁部５１４の上に（例えば、内側縁部５１４が、チャネル５０８の一部分を含むように）配設され得る。チャネル５０８が、本体部５０４の中におよび／または内側縁部５１４の上に配設されるように、第２のクランプセクション５０２を修正することが、当業者によって理解されるであろう。
【００７２】
図５に示されているように、チャネル５０８は、十字型形状を有することが可能である。チャネル５０８は、同様に、例えば、三角形、長方形、円形、涙滴形、またはダブテールなどのような、１つまたは複数の他の形状を含むことも可能である。１つまたは複数の他の形状を含むようにチャネル５０８を修正することが、当業者によって理解されるであろう。
【００７３】
上述のように、第２のクランプ５００は、関係のインレットミキサーを実質的に取り囲むように一緒に接合された、２つの第２のクランプセクション５０２を含むことが可能である。第２のクランプセクション５０２が、関係のインレットミキサーの周りに配設され得、これによって１つの第２のクランプセクション５０２の端部部分５１０が、別の第２のクランプセクション５０２の端部部分５１０に接近または接触していることが可能であるようになっている。第２のクランプセクション５０２同士が、端部部分５１０において、（図７に示されている）複数の第２のクランプボルト５２２および貫通孔５１２を使用して、一緒に接続され得る。また、当業者によって理解されることとなるように、第２のクランプセクション５０２同士が、端部部分５１０において、ロックナット、ラチェットなどを使用して、一緒に接続されることも可能である。
【００７４】
第２のクランプボルトを締め付けることによって、第２のクランプ５００と関係のインレットミキサーとの間に十分なグリップを提供することが可能であり、これによって第２のクランプ５００の垂直方向（すなわち、関係のディフューザーに向かう方向、または、それから離れる方向のいずれか）への動き、および／または、関係のインレットミキサーの軸方向の周りの動きを防止するようになっている。
【００７５】
第２のクランプセクション５０２同士は、他のタイプの接続部および／またはコネクターを使用して、一緒に接続され得る。第２のクランプセクション５０２同士は、例えば、１つの側で、一緒にヒンジで連結され得る。端部部分５１０は、例えば、雄型および／または雌型ダブテール接合部を含むことが可能である。他のタイプの接続部および／またはコネクターを使用して、それらが一緒に接続されるように、第２のクランプセクション５０２を修正することが、当業者によって理解されるであろう。
【００７６】
図６Ａは、例示の実施形態によるコネクター６００の斜視図である。コネクター６００は、第１のクランプ４００と第２のクランプ５００とを接続するように構成され得る。コネクター６００は、第１のクランプセクション４０２と第２のクランプセクション５０２とを接続するように構成され得る。コネクター６００は、チャネル４０８および／またはチャネル５０８と同様の断面を有することが可能である。
【００７７】
図６Ｂは、例示の実施形態によるコネクター６００の断面図である。コネクター６００は、例えば、主本体部６０２および翼廊（ｔｒａｎｓｅｐｔｓ）６０４を含む十字型形状を有することが可能である。
【００７８】
コネクター６００は、同様に、例えば、三角形、長方形、円形、涙滴形、またはダブテールなどのような１つまたは複数の他の形状を有することが可能である。１つまたは複数の他の形状を含むようにコネクター６００を修正することは、当業者によって理解されるであろう。また、チャネル４０８および／またはチャネル５０８と同様の断面を有するようにコネクター６００を修正することも、当業者によって理解されるであろう。
【００７９】
１つまたは複数のコネクター６００は、第１のクランプセクション４０２に固定され得る。例えば、第１のクランプセクション４０２が、２つのチャネル４０８を含むとき、一方のコネクター６００が、一方のチャネル４０８の中で第１のクランプセクション４０２に固定され得、かつ／または、別のコネクター６００が、もう一方のチャネル４０８の中で第１のクランプセクション４０２に固定され得る。コネクター６００は、例えば、溶接によって、または、１つもしくは複数の他の方法によって、第１のクランプセクション４０２に固定され得、これによってコネクター６００は、第１のクランプセクション４０２に対して動かないようになっている。第１のクランプセクション４０２にコネクター６００を固定するための方法は、当業者によって理解されるであろう。
【００８０】
１つまたは複数のコネクター６００は、第２のクランプセクション５０２に固定され得る。例えば、第２のクランプセクション５０２が、２つのチャネル５０８を含むとき、一方のコネクター６００が、一方のチャネル５０８の中で第２のクランプセクション５０２に固定され得、かつ／または、別のコネクター６００が、もう一方のチャネル５０８の中で第２のクランプセクション５０２に固定され得る。コネクター６００は、例えば、溶接によって、または、１つもしくは複数の他の方法によって、第２のクランプセクション５０２に固定され得、これによってコネクター６００が、第２のクランプセクション５０２に対して動かないようになっている。第２のクランプセクション５０２にコネクター６００を固定するための方法は、当業者によって理解されるであろう。
【００８１】
当業者によって理解されるように、第１のクランプ４００、第２のクランプ５００、および／またはコネクター６００で使用される材料、ならびにこれらのための製造プロセスは、電解腐食、粒界応力腐食割れ（「ＩＧＳＣＣ」）、中性子線束およびガンマ線束による放射化、ならびに／または、原子力プラントに関係する他の問題を最小化するように選択され得る。したがって、材料は、例えば、ステンレス鋼（例えば、タイプ３０４ステンレス鋼、タイプ３１６ステンレス鋼）、モリブデン合金、および／またはチタン合金を含むことが可能である。
【００８２】
図７は、例示の実施形態によるジェットポンプアセンブリ７００の断面図である。ジェットポンプアセンブリ７００は、インレットミキサー７０４およびディフューザー７０６を含むことが可能である。インレットミキサー７０４とディフューザー７０６との間の接合部分は、スリップジョイント７０８である。インレットミキサー７０４の底部部分７０４ａは、ディフューザー７０６の上側クラウン部７０６ａの中に挿入され、インレットミキサー７０４をディフューザー７０６と一体化することが可能である。インレットミキサー７０４の遠位端部７０４ｂが、ディフューザー７０６の上側クラウン部７０６ａの中に置かれ、スリップジョイント７０８を形成することが可能である。
【００８３】
図７では、第１のクランプ４００は、ディフューザー７０６を実質的に取り囲むように一緒に接合された、２つの第１のクランプセクション４０２を含むことが可能である。第１のクランプセクション４０２同士が、端部部分４１０において、複数の第１のクランプボルト４２２を使用して、一緒に接続され得る。第１のクランプセクション４０２は、オフセット部４０６がディフューザー７０６のガイド耳部７０６ｂを収容するように配設され得る。チャネル４０８は、第１のクランプセクション４０２を完全に貫通して延在することが可能である。
【００８４】
図７では、第２のクランプ５００は、インレットミキサー７０４を実質的に取り囲むように一緒に接合された、２つの第２のクランプセクション５０２を含むことが可能である。第２のクランプセクション５０２同士が、端部部分５１０において、複数の第２のクランプボルト５２２を使用して、一緒に接続され得る。チャネル５０８は、第２のクランプセクション５０２を完全に貫通して延在することが可能である。
【００８５】
図７では、コネクター６００が、第１のクランプ４００に固定され得、これによってコネクター６００が、第１のクランプ４００に対して動けないようになっている。コネクター６００を、第２のクランプ５００に固定することはできず、コネクター６００は、第２のクランプ５００に対して動けるようになっている。
【００８６】
図７では、コネクター６００は、第１のクランプ４００が、第１のクランプ４００と第２のクランプ５００との間で、第２のクランプ５００に対して、第１の方向に動くことを許容することが可能である。第２のクランプ５００に対する第１のクランプ４００の許容された動きは、線状の動きであることが可能である。第１の方向は、例えば、インレットミキサー７０４の軸方向、ディフューザー７０６の軸方向、および／または、ジェットポンプアセンブリ７００の軸方向であることが可能である。許容された動きは、例えば、インレットミキサー７０４、ディフューザー７０６、および／または、他の関連のコンポーネントの熱膨張に関連することが可能である。
【００８７】
例示の実施形態では、コネクター６００を、第２のクランプ５００に固定することができ、第１のクランプ４００に固定することはできない。例示の実施形態では、１つまたは複数のコネクター６００を、第１のクランプ４００に固定することができ、第２のクランプ５００に固定することはできず、一方、１つまたは複数の他のコネクター６００を、第２のクランプ５００に固定することができ、第１のクランプ４００に固定することはできない。同様に、これらの実施形態では、コネクター６００は、第１のクランプ４００が、第１のクランプ４００と第２のクランプ５００との間で、第２のクランプ５００に対して、第１の方向に動くことを許容することが可能である。
【００８８】
図７では、コネクター６００は、第１のクランプ４００が、第２のクランプ５００に対して、第１の方向に直交する第２の方向に動くことを、制限および／または防止することが可能である。第２のクランプ５００に対する第１のクランプ４００の、制限されたおよび／または防止された動きは、線状の動きであることが可能である。第２のクランプ５００に対する第１のクランプ４００の、制限されたおよび／または防止された動きは、第１の方向に定められた軸線の周りの回転運動であることが可能である。軸線は、例えば、インレットミキサー７０４の軸線、ディフューザー７０６の軸線、および／または、ジェットポンプアセンブリ７００の軸線であることが可能である。制限されたおよび／または防止された動きは、例えば、ジェットポンプアセンブリ７００の内部の振動、ＦＩＶ、および／または乱流に関連することが可能である。
【００８９】
図７では、第１のクランプ４００、第２のクランプ５００、および／またはコネクター６００は、インレットミキサー７０４が、ディフューザー７０６に対して、インレットミキサー７０４の軸方向、ディフューザー７０６の軸方向、および／または、ジェットポンプアセンブリ７００の軸方向に動くことを許容することが可能である。ディフューザー７０６に対するインレットミキサー７０４の、許容された動きは、例えば、線状の動きであることが可能である。許容された動きは、例えば、インレットミキサー７０４、ディフューザー７０６、および／または、他の関連のコンポーネントの熱膨張に関連することが可能である。
【００９０】
図７では、第１のクランプ４００、第２のクランプ５００、および／またはコネクター６００は、インレットミキサー７０４が、ディフューザー７０６に対して、インレットミキサー７０４の軸方向に直交する方向、ディフューザー７０６の軸方向に直交する方向、および／または、ジェットポンプアセンブリ７００の軸方向に直交する方向に動くことを制限および／または防止することが可能である。ディフューザー７０６に対するインレットミキサー７０４の、制限されたおよび／または防止された動きは、線状の動きであることが可能である。ディフューザー７０６に対するインレットミキサー７０４の、制限されたおよび／または防止された動きは、インレットミキサー７０４の軸方向、ディフューザー７０６の軸方向、および／または、ジェットポンプアセンブリ７００の軸方向の周りの回転運動であることが可能である。制限されたおよび／または防止された動きは、例えば、ジェットポンプアセンブリ７００の内部の振動、ＦＩＶ、および／または乱流に関連することが可能である。
【００９１】
図７の構成は、スリップジョイント７０８の剛性を維持し、振動を防止、かつ／または、ＦＩＶを抑制することが可能であり、一方、同時に、インレットミキサー７０４、ディフューザー７０６、および／または、他の関連のコンポーネントの熱膨張を許容する。
【００９２】
図８は、例示の実施形態による、第２のコンポーネントと一体化された第１のコンポーネントの動きを制御するための方法のフローチャートである。図８のＳ８００に示されているように、第１のクランプは、第１のコンポーネントと係合することが可能である。図７および図８に関連するように、第１のクランプ４００が、ディフューザー７０６と係合することが可能である。
【００９３】
図８のＳ８０２に示されているように、第２のクランプは、第２のコンポーネントと係合することが可能である。図７および図８に関連するように、第２のクランプ５００が、インレットミキサー７０４と係合することが可能である。
【００９４】
図８のＳ８０４に示されているように、第１および第２のクランプは、複数のコネクターを使用して接続され得る。図７および図８に関連するように、コネクター６００が、第１のクランプ４００と第２のクランプ５００とを接続することが可能である。
【００９５】
図８では、第１のコンポーネントを第１のクランプに係合させるステップ（Ｓ８００）と、第２のコンポーネントを第２のクランプに係合させるステップ（Ｓ８０２）と、複数のコネクターを使用して第１および第２のクランプを接続するステップ（Ｓ８０４）とが、任意の順序で実施され得る。図７および図８に関連するように、例えば、第１のクランプ４００および第２のクランプ５００が、コネクター６００を使用して接続され得る。次いで、第１のクランプ４００が、ディフューザー７０６に係合し、それに続いて、第２のクランプ５００が、インレットミキサー７０４に係合することが可能である。代替的には、第２のクランプ５００が、インレットミキサー７０４に係合し、それに続いて、第１のクランプ４００が、ディフューザー７０６に係合することが可能である。または、第２のクランプ５００が、インレットミキサー７０４に係合するのと同時に、第１のクランプ４００が、ディフューザー７０６に係合することが可能である。別の例では、第２のクランプ５００が、インレットミキサー７０４に係合するのと同時に、第１のクランプ４００が、ディフューザー７０６に係合することが可能である。次いで、第１のクランプ４００および第２のクランプ５００が、コネクター６００を使用して接続され得る。
【００９６】
図７および図８に関連するように、第１のクランプ４００がディフューザー７０６に係合する前に、１つまたは複数のコネクター６００が、第１のクランプ４００に固定され得る。同様に、第２のクランプ５００がインレットミキサー７０４に係合する前に、１つまたは複数のコネクター６００が、第２のクランプ５００に固定され得る。例えば、第１のクランプ４００がディフューザー７０６に係合する前に、全てのコネクター６００が、第１のクランプ４００に固定され得、第２のクランプ５００がインレットミキサー７０４に係合する前に、全てのコネクター６００が、第１のクランプ４００に固定され得、かつ／または、コネクター６００が第１のクランプ４００と第２のクランプ５００とを接続する前に、全てのコネクター６００が、第１のクランプ４００に固定され得る。別の例では、第２のクランプ５００がインレットミキサー７０４に係合する前に、１つまたは複数のコネクター６００が、第２のクランプ５００に固定され得、第１のクランプ４００がディフューザー７０６に係合する前に、１つまたは複数のコネクター６００が、第２のクランプ５００に固定され得、かつ／または、コネクター６００が第１のクランプ４００と第２のクランプ５００とを接続する前に、１つまたは複数のコネクター６００が、第２のクランプ５００に固定され得る。
【００９７】
図７および図８に関連するように、第１のクランプ４００が、ディフューザー７０６に係合し、第２のクランプ５００が、インレットミキサー７０４に係合し、第１のクランプ４００および第２のクランプ５００が、コネクター６００を使用して接続されると、コネクター６００は、第１のクランプ４００が、第１のクランプ４００と第２のクランプ５００との間で、第２のクランプ５００に対して、第１の方向に動くことを許容することが可能であり、かつ／または、インレットミキサー７０４が、ディフューザー７０６に対して、第１の方向に動くことを許容することが可能である。その動きは、例えば、ディフューザー７０６に対するインレットミキサー７０４の線状の動きであることが可能である。第１の方向は、例えば、ジェットポンプアセンブリ７００、インレットミキサー７０４、および／またはディフューザー７０６の軸方向であることが可能である。第１の方向は、例えば、垂直方向であることが可能である。
【００９８】
図７および図８に関連するように、第１のクランプ４００が、ディフューザー７０６に係合し、第２のクランプ５００が、インレットミキサー７０４に係合し、第１のクランプ４００および第２のクランプ５００が、コネクター６００を使用して接続されると、コネクター６００は、第１のクランプ４００が、第２のクランプ５００に対して、第１の方向に直交する第２の方向に動くことを制限および／もしくは防止することが可能であり、かつ／または、インレットミキサー７０４が、ディフューザー７０６に対して、第２の方向に動くことを制限および／もしくは防止することが可能である。その動きは、例えば、ディフューザー７０６に対するインレットミキサー７０４の線状の動きであることが可能である。その動きは、例えば、ディフューザー７０６に対するインレットミキサー７０４の、第１の方向に定められた軸線の周りの回転運動であることが可能である。第２の方向は、例えば、水平方向（例えば、水平面を定義する）であることが可能である。
【００９９】
例示の実施形態が、とりわけ、示されて説明されてきたが、以下の特許請求の範囲によって定義される本発明の精神および範囲から逸脱することなく、形態および詳細の様々な変更がその中でなされてもよいということが当業者によって理解されるであろう。
【符号の説明】
【０１００】
１００  沸騰水型原子炉（「ＢＷＲ」）ジェットポンプアセンブリ
１０２  ライザーパイプ
１０４  インレットミキサー
１０６  ディフューザー
１０８  スリップジョイント
１１０  ジェットポンプ拘束ブラケット
２０４  インレットミキサー
２０４ａ  底部部分
２０６  ディフューザー
２０６ａ  上側クラウン部
２０６ｂ  ガイド耳部
２０８  スリップジョイント
３０４  インレットミキサー
３０４ａ  底部部分
３０４ｂ  遠位端部
３０６  ディフューザー
３０６ａ  上側クラウン部
３０８  スリップジョイント
４００  第１のクランプ
４０２  第１のクランプセクション
４０４  本体部
４０６  オフセット部
４０８  チャネル
４１０  端部部分
４１２  貫通孔
４１４  内側縁部
４１６  外側縁部
４１８  上部表面
４２０  底部表面
４２２  第１のクランプボルト
５００  第２のクランプ
５０２  第２のクランプセクション
５０４  本体部
５０８  チャネル
５１０  端部部分
５１２  貫通孔
５１４  内側縁部
５１６  外側縁部
５１８  上部表面
５２０  底部表面
５２２  第２のクランプボルト
６００  コネクター
６０２  主本体部
６０４  翼廊
７００  ジェットポンプアセンブリ
７０４  インレットミキサー
７０４ａ  底部部分
７０４ｂ  遠位端部
７０６  ディフューザー
７０６ａ  上側クラウン部
７０６ｂ  ガイド耳部
７０８  スリップジョイント
Ｓ８００  第１のコンポーネントを第１のクランプに係合させる
Ｓ８０２  第２のコンポーネントを第２のクランプに係合させる
Ｓ８０４  複数のコネクターを使用して第１および第２のクランプを接続する
【図１】
0005941433.tif 000002
【図２】
0005941433.tif 000003
【図３】
0005941433.tif 000004
【図４】
0005941433.tif 000005
【図５】
0005941433.tif 000006
【図６Ａ】
0005941433.tif 000007
【図６Ｂ】
0005941433.tif 000008
【図７】
0005941433.tif 000009
【図８】
0005941433.tif 000010